【手続補正書】
【提出日】平成21年9月26日(2009.9.26)
【手続補正１】
【補正対象書類名】明細書
【補正対象項目名】００１３
【補正方法】変更
【補正の内容】
【００１３】
「Ｒｅｇｕｌａｔｉｏｎ  ｏｆ  Ｇｅｎｅｓ  Ｖｉａ  Ａｐｐｌｉｃａｔｉｏｎ  ｏｆ  Ｓｐｅｃｉｆｉｃ  ａｎｄ  Ｓｅｌｅｃｔｉｖｅ  Ｅｌｅｃｔｒｉｃａｌ  ａｎｄ  Ｅｌｅｃｔｒｏｍａｇｎｅｔｉｃ  Ｓｉｇｎａｌｓ（特定の選択的な電気信号と電磁信号の印加による遺伝子制御）」と題する上述の親特許出願では、罹患、または損傷した組織の標的遺伝子を制御することを目的する、特定の選択的な電場を発生させるために使用される特定の選択的な電気信号と電磁信号の決定方法を開示した。本発明は、前記必要とされる電圧出力および電流出力を決定する方法と、変形性関節症、他の軟骨欠損症、疾患および傷害で苦しむ患者におけるヒトの股関節に特定の選択的な電気信号と電磁信号を伝達するための対応装置を説明することにより、前記親出願で記載された前記技術をさらに発展させるものである。
この出願の発明に関連する先行技術文献情報としては、以下のものがある（国際出願日以降国際段階で引用された文献及び他国に国内移行した際に引用された文献を含む）。
【特許文献１】米国特許第５，２６９，７４６号明細書
【特許文献２】米国特許第６，０８３，１４９号明細書
【特許文献３】米国特許第６，１８６，９４０号明細書
【特許文献４】米国特許第４，５０９，５２０号明細書
【特許文献５】米国特許第４，６００，０１０号明細書
【特許文献６】米国特許第５，０１４，６９９号明細書
【特許文献７】米国特許第５，０３８，７９７号明細書
【特許文献８】米国特許第５，２７３，０３３号明細書
【特許文献９】米国特許第５，３３８，２８６号明細書
【特許文献１０】米国特許第５，３７４，２８３号明細書
【特許文献１１】米国特許第５，７４３，８４４号明細書
【特許文献１２】米国特許第６，１３２，３６２号明細書
【特許文献１３】米国特許第６，２６１，２２１号明細書
【特許文献１４】米国特許第６，４８５，９６３号明細書
【特許文献１５】米国特許第４，５３５，７７５号明細書
【特許文献１６】米国特許第４，４６７，８０８号明細書
【特許文献１７】米国特許第４，４６７，８０９号明細書
【特許文献１８】国際公開第０１／６２３３６号
【特許文献１９】米国特許第４，６８３，８７３号明細書
【特許文献２０】米国特許第５，９６８，５２７号明細書
【特許文献２１】国際公開第００／０２５８５号
【特許文献２２】米国特許第４，４３０，９９９号明細書
【特許文献２３】米国特許第４，４４２，８４６号明細書
【特許文献２４】米国特許第４，４８７，８３４号明細書
【特許文献２５】米国特許第４，５０６，６７４号明細書
【特許文献２６】米国特許第４，５４９，５４７号明細書
【特許文献２７】米国特許出願公開第２００２／００５２６３４号明細書
【特許文献２８】米国特許出願公開第２００３／０２１１０８４号明細書
【特許文献２９】国際公開第２００５／０７０１３６号
【特許文献３０】米国特許第６，６０５，０８９号明細書
【特許文献３１】米国特許第６，７４７，００４号明細書
【非特許文献１】Ａａｒｏｎ，Ｒ．Ｋ．，ｅｔ  ａｌ．，"Ｔｈｅ  ｃｏｎｓｅｒｖａｔｉｖｅ  ｔｒｅａｔｍｅｎｔ  ｏｆ  ｏｓｔｅｏｎｅｃｒｏｓｉｓ  ｏｆ  ｔｈｅ  ｆｅｍｏｒａｌ  ｈｅａｄ，"Ｃｌｉｎ．Ｏｒｔｈｏｐ．，１９８９，２４９，２０９−２１８
【非特許文献２】Ａａｒｏｎ，Ｒ．Ｋ．，ｅｔ  ａｌ．，"Ｓｔｉｍｕｌａｔｉｏｎ  ｏｆ  ｅｘｐｅｒｉｍｅｎｔａｌ  ｅｎｄｏｃｈｏｎｄｒａｌ  ｏｓｓｉｆｉｃａｔｉｏｎ  ｂｙ  ｌｏｗ−ｅｎｅｒｇｙ  ｐｕｌｓｉｎｇ  ｅｌｅｃｔｒｏｍａｇｎｅｔｉｃ  ｆｉｅｌｄｓ，"Ｊ．Ｂｏｎｅ  Ｍｉｎｅｒ．Ｒｅｓ．，Ｎｏｖｅｍｂｅｒ  ２，１９８９，４，２２７−２３３
【非特許文献３】Ｂａｓｓｅｔｔ，Ｃ．Ａ．Ｌ．，"Ｌｏｗ  ｅｎｅｒｇｙ  ｐｕｌｓｉｎｇ  ｅｌｅｃｔｒｏｍａｇｎｅｔｉｃ  ｆｉｅｌｄｓ  ｍｏｄｉｆｙ  ｂｉｏｍｅｄｉｃａｌ  ｐｒｏｃｅｓｓｅｓ，"ＢｉｏＥｓｓａｙｓ，１９８７，６（１），３６−４２
【非特許文献４】Ｂａｓｓｅｔｔ，Ｃ．Ａ．Ｌ．，ｅｔ  ａｌ．，"Ｅｆｆｅｃｔｓ  ｏｆ  ｐｕｌｓｅｄ  ｅｌｅｃｔｒｏｍａｇｎｅｔｉｃ  ｆｉｅｌｄｓ  ｏｎ  Ｓｔｅｉｎｂｅｒｇ  ｒａｔｉｎｇｓ  ｏｆ  ｆｅｍｏｒａｌ  ｈｅａｄ  ｏｓｔｅｏｎｅｃｒｏｓｉｓ，"Ｃｌｉｎ．Ｏｒｔｈｏｐ．，Ｓｅｐｔｅｍｂｅｒ  １９８９，２４６，１７２−１８５
【非特許文献５】Ｂａｓｓｅｔｔ，Ｃ．Ａ．Ｌ．，ｅｔ  ａｌ．，"Ｆｕｎｄａｍｅｎｔａｌ  ａｎｄ  ｐｒａｃｔｉｃａｌ  ａｓｐｅｃｔｓ  ｏｆ  ｔｈｅｒａｐｅｕｔｉｃ  ｕｓｅｓ  ｏｆ  ｐｕｌｓｅｄ  ｅｌｅｃｔｒｏｍａｇｎｅｔｉｃ  ｆｉｅｌｄｓ（ＰＥＭＳｓ），"Ｃｒｉｔ．Ｒｅｖ．Ｂｉｏｍｅｄ．Ｅｎｇ．，１９８９，１７（５），４５１−５２９
【非特許文献６】Ｂａｓｓｅｔｔ，Ｃ．Ａ．Ｌ．，ｅｔ  ａｌ．，"Ｐｕｌｓｉｎｇ  ｅｌｅｃｔｒｏｍａｇｎｅｔｉｃ  ｆｉｅｌｄ  ｔｒｅａｔｍｅｎｔ  ｉｎ  ｕｎｕｎｉｔｅｄ  ｆｒａｃｔｕｒｅｓ  ａｎｄ  ｆａｉｌｅｄ  ａｒｔｈｒｏｄｅｓｅｓ，"ＪＡＭＡ，Ｆｅｂｒｕａｒｙ  ５，１９８２，２４７（５），６２３−６２８
【非特許文献７】Ｂｉｎｄｅｒ，Ａ．，ｅｔ  ａｌ．，"Ｐｕｌｓｅｄ  ｅｌｅｃｔｒｏｍａｇｎｅｔｉｃ  ｆｉｅｌｄ  ｔｈｅｒａｐｙ  ｏｆ  ｐｅｒｓｉｓｔｅｎｔ  ｒｏｔａｔｏｒ  ｃｕｆｆ  ｔｅｎｄｏｎｉｔｉｓ，"Ｌａｎｃｅｔ，Ｍａｒｃｈ  ３１，１９８４，６９５−６９８
【非特許文献８】Ｂｒｉｇｈｔｏｎ，Ｃ．Ｔ．，ｅｔ  ａｌ．，"Ａ  ｍｕｌｔｉｃｅｎｔｅｒ  ｓｔｕｄｙ  ｏｆ  ｔｈｅ  ｔｒｅａｔｍｅｎｔ  ｏｆ  ｎｏｎ−ｕｎｉｏｎ  ｗｉｔｈ  ｃｏｎｓｔａｎｔ  ｄｉｒｅｃｔ  ｃｕｒｒｅｎｔ，"Ｊ．Ｂｏｎｅ  ａｎｄ  Ｊｏｉｎｔ  Ｓｕｒｇｅｒｙ，Ｊａｎｕａｒｙ  １９８１，６２−Ａ（１），２−１３
【非特許文献９】Ｂｒｉｇｈｔｏｎ，Ｃ．Ｔ．，ｅｔ  ａｌ．，"Ｔｒｅａｔｍｅｎｔ  ｏｆ  ｒｅｃａｌｃｉｔｒａｎｔ  ｎｏｎ−ｕｎｉｏｎ  ｗｉｔｈ  ａ  ｃａｐａｃｉｔｉｖｅｌｙ  ｃｏｕｐｌｅｄ  ｅｌｅｃｔｒｉｃａｌ  ｆｉｅｌｄ，"Ｊ．Ｂｏｎｅ  ａｎｄ  Ｊｏｉｎｔ  Ｓｕｒｇｅｒｙ，Ａｐｒｉｌ  １９８５，６７−Ａ（４），５７７−５８５
【非特許文献１０】Ｂｒｉｇｈｔｏｎ，Ｃ．Ｔ．，ｅｔ  ａｌ．，"Ｔｒｅａｔｍｅｎｔ  ｏｆ  ｃａｓｔｒａｔｉｏｎ−ｉｎｄｕｃｅｄ  ｏｓｔｅｏｐｏｒｏｓｉｓ  ｂｙ  ａ  ｃａｐａｃｉｔｉｖｅｌｙ  ｃｏｕｐｌｅｄ  ｅｌｅｃｔｒｉｃａｌ  ｓｉｇｎａｌ  ｉｎ  ｒａｔ  ｖｅｒｔｅｂｒａｅ，"Ｊ．Ｂｏｎｅ  ａｎｄ  Ｊｏｉｎｔ  Ｓｕｒｇｅｒｙ，Ｆｅｂｒｕａｒｙ  １９８９，７１−Ａ（２），２２８−２３６
【非特許文献１１】Ｂｒｉｇｈｔｏｎ，Ｃ．Ｔ．，ｅｔ  ａｌ．，"Ｉｎｃｒｅａｓｅｄ  ｃＡＭＰ  ｐｒｏｄｕｃｔｉｏｎ  ａｆｔｅｒ  ｓｈｏｒｔ−ｔｅｒｍ  ｃａｐａｃｉｔｉｖｅｌｙ  ｃｏｕｐｌｅｄ  ｓｔｉｍｕｌａｔｉｏｎ  ｉｎ  ｂｏｖｉｎｅ  ｇｒｏｗｔｈ  ｐｌａｔｅ  ｃｈｏｎｄｒｏｃｙｔｅｓ，"Ｊ．Ｏｒｔｈｏｐ．Ｒｅｓ．，１９８８，６，５５２−５５８
【非特許文献１２】Ｂｒｉｇｈｔｏｎ，Ｃ．Ｔ．，ｅｔ  ａｌ．，"Ｔｒｅａｔｍｅｎｔ  ｏｆ  ｄｅｎｅｒｖａｔｉｏｎ／ｄｉｓｕｓｅ  ｏｓｔｅｏｐｏｒｏｓｉｓ  ｉｎ  ｔｈｅ  ｒａｔ  ｗｉｔｈ  ａ  ｃａｐａｃｉｔｉｖｅｌｙ  ｃｏｕｐｌｅｄ  ｅｌｅｃｔｒｉｃａｌ  ｓｉｇｎａｌ：ｅｆｆｅｃｔｓ  ｏｎ  ｂｏｎｅ  ｆｏｒｍａｔｉｏｎ  ａｎｄ  ｂｏｎｅ  ｒｅｓｏｒｐｔｉｏｎ，"Ｊ．Ｏｒｔｈｏｐ．Ｒｅｓ．，１９８８，６，６７６−６８４
【非特許文献１３】Ｇｏｏｄｍａｎ，Ｒ．，ｅｔ  ａｌ．，"Ｅｘｐｏｓｕｒｅ  ｏｆ  ｓａｌｉｖａｒｙ  ｇｌａｎｄ  ｃｅｌｌｓ  ｔｏ  ｌｏｗ−ｆｒｅｑｕｅｎｃｙ  ｅｌｅｃｔｒｏｍａｇｎｅｔｉｃ  ｆｉｅｌｄｓ  ａｌｔｅｒｓ  ｐｏｌｙｐｅｐｔｉｄｅ  ｓｙｎｔｈｅｓｉｓ，"Ｐｒｏｃ．Ｎａｔｌ．Ａｃａｄ．Ｓｃｉ．ＵＳＡ，Ｊｕｎｅ  １９８８，８５，３９２８−２９３２
【非特許文献１４】Ｇｏｏｄｗｉｎ，Ｃ．Ｂ．，ｅｔ  ａｌ．，"Ａ  ｄｏｕｂｌｅ−ｂｌｉｎｄ  ｓｔｕｄｙ  ｏｆ  ｃａｐａｃｉｔｉｖｅｌｙ  ｃｏｕｐｌｅｄ  ｅｌｅｃｔｒｉｃａｌ  ｓｔｉｍｕｌａｔｉｏｎ  ａｓ  ａｎ  ａｄｊｕｎｃｔ  ｔｏ  ｌｕｍｂａｒ  ｓｐｉｎａｌ  ｆｕｓｉｏｎｓ，"Ｓｐｉｎｅ，１９９９，２４（１３），１３４９−１３５６
【非特許文献１５】Ｇｒｏｄｚｉｎｓｋｙ，Ａ．Ｊ．，"Ｅｌｅｃｔｒｏｍｅｃｈａｎｉｃａｌ  ａｎｄ  ｐｈｙｓｉｃｏｃｈｅｍｉｃａｌ  ｐｒｏｐｅｒｔｉｅｓ  ｏｆ  ｃｏｎｎｅｃｔｉｖｅ  ｔｉｓｓｕｅ，"Ｃｒｉｔ．Ｒｅｖ．Ｂｉｏｍｅｄ．Ｅｎｇｎｇ．，１９８３，９（２），１３３−１９８
【非特許文献１６】Ｈａｒｒｉｓｏｎ，Ｍ．Ｈ．Ｍ．，ｅｔ  ａｌ．，"Ｕｓｅ  ｏｆ  ｐｕｌｓｅｄ  ｅｌｅｃｔｒｏｍａｇｎｅｔｉｃ  ｆｉｅｌｄｓ  ｉｎ  ｐｅｒｔｈｅｓ  ｄｉｓｅａｓｅ：ｒｅｐｏｒｔ  ｏｆ  ａ  ｐｉｌｏｔ  ｓｔｕｄｙ，"Ｊ．Ｐｅｄｉａｔｒ．Ｏｒｔｈｏｐ．，１９８４，４，５７９−５８４
【非特許文献１７】Ｊｏｎｅｓ，Ｄ．Ｂ．，ｅｔ  ａｌ．，"ＰＥＭＦ  ｅｆｆｅｃｔｓ  ｏｎ  ｄｉｆｆｅｒｅｎｔｉａｔｉｏｎ  ａｎｄ  ｄｉｖｉｓｉｏｎ  ｉｎ  ｍｉｒｉｎｅ  ｍｅｌａｎｏｍａ  ｃｅｌｌｓ  ａｒｅ  ｍｅｄｉａｔｅｄ  ｉｎｄｉｒｅｃｔｌｙ  ｔｈｒｏｕｇｈ  ｃＡＭＰ，"Ｔｒａｎｓ．ＢＲＡＧＳ  ６，１９８６，５１
【非特許文献１８】Ｌｏｒｉｃｈ，Ｄ．Ｇ．，ｅｔ  ａｌ．，"Ｂｉｏｃｈｅｍｉｃａｌ  ｐａｔｈｗａｙ  ｍｅｄｉａｔｉｎｇ  ｔｈｅ  ｒｅｓｐｏｎｓｅ  ｏｆ  ｂｏｎｅ  ｃｅｌｌｓ  ｔｏ  ｃａｐａｃｉｔｉｖｅ  ｃｏｕｐｌｉｎｇ，"Ｃｌｉｎ．Ｏｒｔｈｏｐ．ａｎｄ  Ｒｅｌａｔｅｄ  Ｒｅｓ．，１９９８，３５０，２４６−２５６
【非特許文献１９】Ｍａｓｓａｒｄｏ，Ｌ．，ｅｔ  ａｌ．，"Ｏｓｔｅｏａｒｔｈｒｉｔｉｓ  ｏｆ  ｔｈｅ  ｋｎｅｅ  ｊｏｉｎｔ：ａｎ  ｅｉｇｈｔ  ｙｅａｒ  ｐｒｏｓｐｅｃｔｉｖｅ  ｓｔｕｄｙ，"Ａｎｎ  Ｒｈｅｕｍ  Ｄｉｓ．，１９８９，４８，８９３−８９７
【非特許文献２０】Ｍｏｏｎｅｙ，Ｖ．，"Ａ  ｒａｎｄｏｍｉｚｅｄ  ｄｏｕｂｌｅ−ｂｌｉｎｄ  ｐｒｏｓｐｅｃｔｉｖｅ  ｓｔｕｄｙ  ｏｆ  ｔｈｅ  ｅｆｆｉｃａｃｙ  ｏｆ  ｐｕｌｓｅｄ  ｅｌｅｃｔｒｏｍａｇｎｅｔｉｃ  ｆｉｅｌｄｓ  ｆｏｒ  ｉｎｔｅｒ  ｂｏｄｙ  ｌｕｍｂａｒ  ｆｕｓｉｏｎｓ，"Ｓｐｉｎｅ，１９９０，１５（７），７０８−７１２
【非特許文献２１】Ｎｏｒｔｏｎ，Ｌ．Ａ．，ｅｔ  ａｌ．，"Ｐｕｌｓｅｄ  ｅｌｅｃｔｒｏｍａｇｎｅｔｉｃ  ｆｉｅｌｄｓ  ａｌｔｅｒ  ｐｈｅｎｏｔｙｐｉｃ  ｅｘｐｒｅｓｓｉｏｎ  ｉｎ  ｃｈｏｎｄｒｏｂｌａｓｔｓ  ｉｎ  ｔｉｓｓｕｅ  ｃｕｌｔｕｒｅ，"Ｊ．Ｏｒｔｈｏｐ．Ｒｅｓ．，１９８８，６，６８５−６８９
【非特許文献２２】Ｒｏｄａｎ，Ｇ．Ａ．ｅｔ  ａｌ．，"ＤＮＡ  ｓｙｎｔｈｅｓｉｓ  ｉｎ  ｃａｒｔｉｌａｇｅ  ｃｅｌｌｓ  ｉｓ  ｓｔｉｍｕｌａｔｅｄ  ｂｙ  ｏｓｃｉｌｌａｔｉｎｇ  ｅｌｅｃｔｒｉｃ  ｆｉｅｌｄｓ，"Ｓｃｉｅｎｃｅ，Ｆｅｂｒｕａｒｙ  １０，１９７８，１９９，６９０−６９２
【非特許文献２３】Ｒｙａｂｙ，Ｊ．Ｔ．，ｅｔ  ａｌ．，"Ｐｕｌｓｉｎｇ  ｅｌｅｃｔｒｏｍａｇｎｅｔｉｃ  ｆｉｅｌｄｓ  ａｆｆｅｃｔ  ｔｈｅ  ｐｈｏｓｐｈｏｒｙｌａｔｉｏｎ  ａｎｄ  ｅｘｐｒｅｓｓｉｏｎ  ｏｆ  ｏｎｃｏｇｅｎｅ  ｐｒｏｔｅｉｎｓ，"Ｔｒａｎｓ．ＢＲＡＧＳ  ６，１９８６，ｐａｇｅ  ７８
【非特許文献２４】Ｒｙａｂｙ，Ｊ．Ｔ．，ｅｔ  ａｌ．，"Ｔｈｅ  ｅｆｆｅｃｔ  ｏｆ  ｅｌｅｃｔｒｏｍａｇｎｅｔｉｃ  ｆｉｅｌｄｓ  ｏｎ  ｐｒｏｔｅｉｎ  ｐｈｏｓｐｈｏｒｙｌａｔｉｏｎ  ａｎｄ  ｓｙｎｔｈｅｓｉｓ  ｉｎ  ｍｕｒｉｎｅ  ｍｅｌａｎｏｍａ  ｃｅｌｌｓ，"ＢＲＡＧＳ，ｐａｇｅ  ３２
【非特許文献２５】Ｗａｎｇ，Ｗ．，ｅｔ  ａｌ．，"Ｔｈｅ  ｉｎｃｒｅａｓｅｄ  ｌｅｖｅｌ  ｏｆ  ＰＤＧＦ−Ａ  ｃｏｎｔｒｉｂｕｔｅｓ  ｔｏ  ｔｈｅ  ｉｎｃｒｅａｓｅｄ  ｐｒｏｌｉｆｅｒａｔｉｏｎ  ｉｎｄｕｃｅｄ  ｂｙ  ｍｅｃｈａｎｉｃａｌ  ｓｔｉｍｕｌａｔｉｏｎ  ｉｎ  ｏｓｔｅｏｂｌａｓｔｉｃ  ｃｅｌｌｓ，"Ｂｉｏｃｈｅｍ．Ａｎｄ  Ｍｏｌｅｃｕｌａｒ  Ｂｉｏｌ．Ｉｎｔｅｒｎａｔｉｏｎａｌ，Ｏｃｔｏｂｅｒ  １９９７，４３（２），３３９−３４６
【非特許文献２６】Ｚｈｕａｎｇ，Ｈ．，ｅｔ  ａｌ．，"Ｍｅｃｈａｎｉｃａｌ  ｓｔｒａｉｎ−ｉｎｄｕｃｅｄ  ｐｒｏｌｉｆｅｒａｔｉｏｎ  ｏｆ  ｏｓｔｅｏｂｌａｓｔｉｃ  ｃｅｌｌｓ  ｐａｒａｌｌｅｌｓ  ｉｎｃｒｅａｓｅｄ  ＴＧＦ−β１  ｍＲＮＡ，"Ｂｉｏｃｈｅｍ．Ｂｉｏｐｈｙｓ．Ｒｅｓ．Ｃｏｍｍｕｍ．，１９９６，２２９，４４９−４５３
【非特許文献２７】Ｚｈｕａｎｇ，Ｈ．，ｅｔ  ａｌ．，"Ｅｌｅｃｔｒｉｃａｌ  ｓｔｉｍｕｌａｔｉｏｎ  ｉｎｄｕｃｅｓ  ｔｈｅ  ｌｅｖｅｌ  ｏｆ  ＴＧＦ−β１  ｍＲＮＡ  ｉｎ  ｏｓｔｅｏｂｌａｓｔｉｃ  ｃｅｌｌｓ  ｂｙ  ａ  ｍｅｃｈａｎｉｓｍ  ｉｎｖｏｌｖｉｎｇ  ｃａｌｃｉｕｍ／ｃａｌｍｏｄｕｌｉｎ  ｐａｔｈｗａｙ，"Ｂｉｏｃｈｅｍ．Ｂｉｏｐｈｙｓ．Ｒｅｓ．Ｃｏｍｍｕｎ．，１９９７，２３７，２２５−２２９
【非特許文献２８】Ｂｒｉｇｈｔｏｎ，Ｃ．Ｔ．，ｅｔ  ａｌ．，"Ｆｒａｃｔｕｒｅ  ｈｅａｌｉｎｇ  ｉｎ  ｔｈｅ  ｒａｂｂｉｔ  ｆｉｂｕｌａ  ｗｈｅｎ  ｓｕｂｊｅｃｔｅｄ  ｔｏ  ｖａｒｉｏｕｓ  ｃａｐａｃｉｔｉｖｅｌｙ  ｃｏｕｐｌｅｄ  ｅｌｅｃｔｒｉｃａｌ  ｆｉｅｌｄｓ，"Ｊ．Ｏｒｔｈｏｐ．Ｒｅｓ．，１９８５，３，３３１−３４０
【非特許文献２９】Ｂｒｉｇｈｔｏｎ，Ｃ．Ｔ．，ｅｔ  ａｌ．，"Ｉｎ  ｖｉｔｒｏ  ｂｏｎｅ−ｃｅｌｌ  ｒｅｓｐｏｎｓｅ  ｔｏ  ａ  ｃａｐａｃｉｔｉｖｅｌｙ  ｃｏｕｐｌｅｄ  ｅｌｅｃｔｒｉｃａｌ  ｆｉｅｌｄ，"Ｃｌｉｎ．Ｏｒｔｈｏｐ．Ｒｅｌａｔｅｄ  Ｒｅｓ．，Ｄｅｃｅｍｂｅｒ  １９９２，２８５，２５５−２６２
【非特許文献３０】Ｃａｒｔｅｒ，Ｅ．Ｌ．，ｅｔ  ａｌ．，"Ｆｉｅｌｄ  ｄｉｓｔｒｉｂｕｔｉｏｎｓ  ｉｎ  ｖｅｒｔｅｂｒａｌ  ｂｏｄｉｅｓ  ｏｆ  ｔｈｅ  ｒａｔ  ｄｕｒｉｎｇ  ｅｌｅｃｔｒｉｃａｌ  ｓｔｉｍｕｌａｔｉｏｎ：ａ  ｐａｒａｍｅｔｒｉｃ  ｓｔｕｄｙ，"ＩＥＥＥ  Ｔｒａｎｓ．ｏｎ  Ｂｉｏｍｅｄ．Ｅｎｇ．，Ｍａｒｃｈ  １９８９，３６（３），３３３−３４５
【非特許文献３１】Ｂｒｉｇｈｔｏｎ，Ｃ．Ｔ．，ｅｔ  ａｌ．，"Ｐｒｅｖｅｎｔｉｏｎ  ａｎｄ  ｔｒｅａｔｍｅｎｔ  ｏｆ  ｓｃｉａｔｉｃ  ｄｅｎｅｒｖａｔｉｏｎ  ｄｉｓｕｓｅ  ｏｓｔｅｏｐｏｒｏｓｉｓ  ｉｎ  ｒａｔ  ｔｉｂｉａ  ｗｉｔｈ  ｃａｐａｃｉｔｉｖｅｌｙ  ｃｏｕｐｌｅｄ  ｅｌｅｃｔｒｉｃａｌ  ｓｔｉｍｕｌａｔｉｏｎ，"Ｂｏｎｅ，１９８５，６，８７−９７
【非特許文献３２】Ｂｒｉｇｈｔｏｎ，Ｃ．Ｔ．，ｅｔ  ａｌ．，"Ｔｒｅａｔｍｅｎｔ  ｏｆ  ｎｏｎｕｎｉｏｎ  ｏｆ  ｔｈｅ  ｔｉｂｉａ  ｗｉｔｈ  ａ  ｃａｐａｃｉｔｉｖｅｌｙ  ｃｏｕｐｌｅｄ  ｅｌｅｃｔｒｉｃａｌ  ｆｉｅｌｄ，"Ｊ．ｏｆ  Ｔｒａｕｍａ，１９８４，２４（２），１５３−１５５
【非特許文献３３】Ｂｒｉｇｈｔｏｎ，Ｃ．Ｔ．，ｅｔ  ａｌ．，"Ｔｉｂｉａｌ  ｎｏｎｕｎｉｏｎ  ｔｒｅａｔｅｄ  ｗｉｔｈ  ｄｉｒｅｃｔ  ｃｕｒｒｅｎｔ，  ｃａｐａｃｉｔｉｖｅ  ｃｏｕｐｌｉｎｇ，ｏｒ  ｂｏｎｅ  ｇｒａｆｔ，"Ｃｌｉｎ．ｏｆ  Ｏｒｔｈｏｐ．ａｎｄ  Ｒｅｌａｔｅｄ  Ｒｅｓ．，１９９５，３２１，２２３−２３４
【非特許文献３４】Ｃｈａｎｇ，Ｗ．Ｈ．，ｅｔ  ａｌ．，"Ｅｎｈａｎｃｅｍｅｎｔ  ｏｆ  ｆｒａｃｔｕｒｅ  ｈｅａｌｉｎｇ  ｂｙ  ｓｐｅｃｉｆｉｃ  ｐｕｌｓｅｄ  ｃａｐａｃｉｔｉｖｅｌｙ−ｃｏｕｐｌｅｄ  ｅｌｅｃｔｒｉｃ  ｆｉｅｌｄ  ｓｔｉｍｕｌａｔｉｏｎ，"Ｆｒｏｎｔｉｅｒｓ  Ｍｅｄ．Ｂｉｏｌ．Ｅｎｇｎｇ．，１９９１，３（１），５７−６４
【非特許文献３５】Ｂｒｉｇｈｔｏｎ，Ｃ．Ｔ．，ｅｔ  ａｌ．，"Ｓｉｇｎａｌ  ｔｒａｎｓｄｕｃｔｉｏｎ  ｉｎ  ｅｌｅｃｔｒｉｃａｌｌｙ  ｓｔｉｍｕｌａｔｅｄ  ｂｏｎｅ  ｃｅｌｌｓ，"Ｊ．Ｂｏｎｅ  Ｊｏｉｎｔ  Ｓｕｒｇ．Ａｍ．，２００１，８３−Ａ（１０），１５１４−１５２３
【非特許文献３６】Ｐｉｅｎｋｏｗｓｋｉ，Ｄ．，ｅｔ  ａｌ．，"Ｌｏｗ−ｐｏｗｅｒ  ｅｌｅｃｔｒｏｍａｇｎｅｔｉｃ  ｓｔｉｍｕｌａｔｉｏｎ  ｏｆ  ｏｓｔｅｏｔｏｍｉｚｅｄ  ｒａｂｂｉｔ  ｆｉｂｕｉａｅ，"Ｊ．ｏｆ  Ｂｏｎｅ  &  Ｊｏｉｎｔ  Ｓｕｒｇｅｒｙ，１９９４，７６−Ａ（４），４８９−５０１
【非特許文献３７】Ｗａｎｇ，Ｗ．，ｅｔ  ａｌ．，"Ｕｐ−ｒｅｇｕｌａｔｉｏｎ  ｏｆ  ｃｈｏｎｄｒｏｃｙｔｅ  ｍａｔｒｉｘ  ｇｅｎｅｓ  ａｎｄ  ｐｒｏｄｕｃｔｓ  ｂｙ  ｅｌｅｃｔｒｉｃ  ｆｉｅｌｄｓ，"Ｃｌｉｎ．Ｏｒｔｈｏｐａｅｄｉｃｓ  &  Ｒｅｌａｔｅｄ  Ｒｅｓ．，２００４，４２７Ｓ．Ｓ１６３−Ｓ１７３